(57)【要約】      （修正有）【課題】方形の浸透桝や貯水槽の内面洗浄において、単一の装置にて内面の洗浄を効率よく行うことができる洗浄装置ないしこれに適用可能なアタッチメントを提供すること。【解決手段】本考案にかかるアタッチメント１は、取っ手部１０と、突っ張り部２０と、接続部３０とを有し、取っ手部及び突っ張り部は接続部を介して相互に接続されるとともに、洗浄装置Ｗとも接続されており、取っ手部は接続部に設けられた回動固定機構（回動固定部３１）により、ケーシング部５０の開口面と平行又は垂直に回動固定することが可能であり、突っ張り部は、ケーシング部の開口面と垂直方向に伸縮する伸縮機構（スプリング２４）と、該伸縮機構により洗浄対象面と対向する内壁面に付勢されて当接する接面機構２６とを有する。【選択図】図１
0003217152.tif 000002
【実用新案登録請求の範囲】
【請求項１】
洗浄対象面に対向する開口が形成されたケーシング部を有し、前記ケーシング部内に設けられた噴出ノズルから噴出される洗浄水で洗浄対象面を洗浄する洗浄装置に取り付け可能なアタッチメントであって、
取っ手部と、突っ張り部と、接続部とを有し、
前記取っ手部及び前記突っ張り部は前記接続部を介して相互及び前記洗浄装置に接続しており、
前記取っ手部は前記接続部に設けられた回動固定機構により、前記ケーシング部の開口面と平行又は垂直に回動固定することが可能であり、
前記突っ張り部は、前記ケーシング部の開口面と垂直方向に伸縮する伸縮機構と、該伸縮機構により前記洗浄対象面と対向する内壁面に付勢されて当接する接面機構とを有する
ことを特徴とするアタッチメント。
【請求項２】
前記接面機構の先端部に滑動構造を有していることを特徴とする、請求項１に記載のアタッチメント。
【考案の詳細な説明】
【技術分野】
【０００１】
本考案は、開口している貯水槽や浸透桝等の底面及び壁面、とりわけ方形の浸透桝について、底面のみならず側壁面を洗浄するのに適した洗浄装置用のアタッチメントに関する。
【背景技術】
【０００２】
住宅地等に降った雨水を地面に緩やかに浸透させる設備として、浸透桝が知られている。浸透桝とは、雨水を導入して地下に浸透させるものであって、その内部には、所定容量以上の流入水があった場合に隣接する集水枡に水を移す流出口が設けられているのが一般的である。浸透桝は、底面や側面の一部ないし全部が、透水機能を有するポーラスコンクリート、孔あきヒューム管（塩ビ製枡）等よりなる透水機能を持った製品で形成されるものであって、全てが透水機能を持った製品で形成されていてもよいし、例えば下部は透水機能を持った製品にて、上部は透水機能を持たない製品にて形成されるものでもよい。
【０００３】
浸透桝には、その性質上、導入される雨水とともに汚泥やごみの類が流入する。そのため、経年とともにその底面には流入する汚泥やごみが蓄積するとともに、泥水を枡の中に湛えることから側壁面も泥やごみで汚染される。これにより、透水性を有しているべき箇所が目詰まりを起こし、本来発揮すべき透水機能を発揮しにくくなることが知られている。そのため、浸透桝の内面（底面及び側壁面）を定期的に洗浄することが望ましい。
【０００４】
汚れた浸透桝の内面の洗浄方法は種々考えられる。洗浄液を内面に直接噴射する、或いは洗浄液を浸した洗浄用具でこする、といった方法がまず挙げられる。しかし前者は洗浄する面で跳ね返った洗浄液が汚泥とともに飛散することで却って周囲を汚してしまうという不具合がある。また後者は作業効率の面でおおいに難がある。
【０００５】
そこで、洗浄液を対象面に噴霧しつつ、その跳ね返りが飛散しないように、ケーシング内に噴霧ノズル、及び洗浄液の回収装置を備えた壁面洗浄装置がかつてより提案されている（特許文献１）。更に近時ではケーシング内に洗浄用具が付加されており、洗浄水や汚染物を飛散させることなく洗浄対象である面を効率的に洗浄可能な洗浄装置が知られている。
【０００６】
或いは、特許文献２においては、複数の滑動体を半径方向外側に伸縮自在に取付けた取付台の中心に、軸方向に洗浄水供給取付口を設けると共に、該洗浄水供給取付口と連通する出口側に回転ジョイントを取付け、この回転ジョイント先端を半径方向に伸びた複数の通路に分岐し、夫々の分岐通路先端に噴射方向を自在とした噴射ノズルを設けた洗浄装置が提案されている。
【先行技術文献】
【特許文献】
【０００７】
【特許文献１】実公昭５７−２５７８４
【特許文献２】実公平０２−４５１８８
【考案の概要】
【考案が解決しようとする課題】
【０００８】
しかし、特許文献１に開示されている壁面洗浄装置は、壁面洗浄に特化した装置であり、同様あるいはそれ以上に洗浄の必要性がある底面の洗浄への適用ができない。また昇降柱など装置が大掛かりに過ぎるため、導入できる作業現場が限定される。
【０００９】
また、特許文献２に開示されている洗浄装置も同様に壁面洗浄に特化、それも円筒状の浄化槽等に用途が限定されており、方形の浸透桝に適用することができない。
【００１０】
そこで本考案は、方形の浸透桝や貯水槽の内面洗浄において、単一の装置にて内面の洗浄を効率よく行うことができる洗浄装置ないしこれに適用可能なアタッチメントを提供することを課題とする。
【課題を解決するための手段】
【００１１】
上記課題を解決すべく、本考案にかかる洗浄装置用アタッチメントは以下の構成を有する。
【００１２】
すなわち本考案に係る洗浄装置用アタッチメントは、洗浄対象面に対向する開口が形成されたケーシング部を有し、前記ケーシング部内に設けられた噴出ノズルから噴出される洗浄水で洗浄対象面を洗浄する洗浄装置に取り付け可能なアタッチメントであって、取っ手部と、突っ張り部と、接続部とを有し、前記取っ手部及び前記突っ張り部は前記接続部を介して相互及び前記洗浄装置に接続しており、前記取っ手部は前記接続部に設けられた回動固定機構により、前記ケーシング部の開口面と平行又は垂直に回動固定することが可能であり、前記突っ張り部は、前記ケーシング部の開口面と垂直方向に伸縮する伸縮機構と、該伸縮機構により前記洗浄対象面と対向する内壁面に付勢されて当接する接面機構とを有することを特徴とする。
【考案の効果】
【００１３】
かかる構成によれば、方形の浸透桝や貯水槽の内面洗浄において、底面を洗浄する時には取っ手部を開口面と垂直な状態で回動固定することにより、洗浄装置の自重により、或いは取っ手部を介して鉛直方向に押圧することにより、洗浄水を飛散させることなく効率よく対象面の洗浄を行うことができる。この場合突っ張り部は取っ手部と平行に位置することになるから、洗浄作業において障害となることがない。また取っ手部を開口面と平行な状態で回動固定すれば、突っ張り部が洗浄対象面と対向する壁面に付勢して突っ張られる状態になり、洗浄装置のケーシング部開口面が洗浄対象面に適切に押し付けられることとなり、やはり洗浄水を飛散させることなく効率よく対象面の洗浄を行うことができる。
【００１４】
このように、本考案に係る洗浄装置用アタッチメントを用いれば、単一の洗浄装置にて内面の洗浄を効率よく行うことができる、という効果が期待できる。なお、突っ張り部の接面機構先端には滑動構造、例えばゴムタイヤやそり状の構造を採用することができる。これにより、ケーシングの開口部から洗浄水等を飛散させることなく、洗浄装置を壁面に沿って動かしながら洗浄する際の過度の抵抗を防止することができる。
【００１５】
なお、上記では洗浄対象として上面方向が開口している構造物、例えば浸透桝や貯水槽であって方形構造を有しているものを念頭に置いて述べたが、対象はこれに限られない。例えば横向きに開口している、方形構造を有しているパイプの壁面の洗浄においても適用が可能である。
【図面の簡単な説明】
【００１６】
【図１】浸透桝の側壁面を洗浄する際の洗浄装置と本願に係るアタッチメントとの関係を示した図である。
【図２】洗浄装置の内部構造を示した図である。
【図３】浸透桝の底面を洗浄する際の洗浄装置と本願に係るアタッチメントとの関係を示した図である。
【考案を実施するための形態】
【００１７】
以下、適宜図示しつつ、本考案の最適な実施形態につき説明する。
【実施例１】
【００１８】
図１は、洗浄装置Ｗに本考案に係るアタッチメント１を接続させて側壁面を洗浄する状態を示した図である。取っ手部１０、突っ張り部２０は接続部３０を介して相互に接続されるとともに、洗浄装置Ｗとも接続されている。
【００１９】
洗浄装置Ｗは、ケーシング部５０、洗浄水供給パイプ５２、汚水排出パイプ５４、高密度ブラシ５６、車輪５８を備えている。ケーシング部５０は、後述する噴出ノズル６０から噴出される洗浄水や洗浄水により壁面から剥離した汚物が外部に飛散することを防止する。洗浄水は、タンク（図示しない）から洗浄水供給パイプ５２を経由してケーシング内へと圧送され、噴出ノズル６０から噴出される。ケーシング部５０の端部、すなわち壁面との接触部分には高密度ブラシ５６が配設されており、ケーシング部５０内を密閉している。噴出された洗浄水及び壁面から剥離した汚物は、他方端がバキューム装置（図示しない）と接続されている汚水排出パイプ５４を介して吸引される。この吸引が適切に行われるためには、ケーシング部５０内の密閉性が保持されていることが重要である。
【００２０】
図２はケーシング部５０の開口面側から見た内部構造を示した図である。噴出ノズル６０は洗浄水供給パイプ５２と連接しており、圧送供給される洗浄水をケーシング部５０の開口面方向、すなわち洗浄対象面方向に向かって噴出する。高密度ブラシ５６は、壁面をこすることにより汚れを落とす役割を担うとともに、僅かな凹凸のある壁面との間の隙間を埋めるべく密閉部として機能する。噴出された洗浄水及び壁面から剥離した汚物は、汚水排出パイプ５４を介して吸引される。
【００２１】
図１に戻り、取っ手部１０は、ケーシング部５０の開口面と平行な状態で回動固定部３１にて固定されている。したがってオペレータは、取っ手部を持ち、ケーシング部５０の開口面を洗浄対象である側壁ＳＷの壁面に当接させながら徐々に下ろしていき、また所望の洗浄位置に移動させる。さて、適切に洗浄及び汚水の吸引を行うためにはケーシング部５０の密閉性を保持することが肝要である。突っ張り部２０は、ポール構造２２の一方端において接続部３０と固定的に接続されている。ポール構造２２の他方端にはスプリング２４が備えられており、さらにその先に接面機構２６が備えられている。ポール構造２２は一般的な浸透桝のサイズに応じた十分な長さを有している。接面機構２６は、洗浄対象面と対向する側壁面に当接する。その際スプリング２４が押し縮められることにより、洗浄対象面に対してケーシング部５０が、また対向面に対して接面機構２６が、それぞれ付勢して押し付けられる。これにより、ケーシング部５０内の密閉性が、側壁面を洗浄する場面においても保持される。
【００２２】
なお洗浄する際には、洗浄装置Ｗを側壁面に沿って摺動させることが必要となるところ、本実施例における接面機構２６の壁面との当接部位には車輪２８が複数備えられている。これにより、付勢されている状態にあっても、また壁面の多少の凹凸があったとしても、洗浄装置Ｗを、密閉性を保持しつつスムーズに滑動させることができるから、洗浄作業の効率が向上するとともに洗浄水や汚物の飛散を防止することができる。
【００２３】
図３は、本考案に係るアタッチメントを付けた洗浄装置Ｗを用いて浸透桝や貯水槽等の底面を洗浄する際の状態を示した図である。この状態にあっては、取っ手部１０はケーシング部５０の開口面と垂直な方向で回動固定部３１において固定される。また突っ張り部２０は、そのポール構造２２が開口面と直交する向きに配されている。このため、オペレータとしては取っ手部１０を介して洗浄装置Ｗを底面に適宜押圧しつつ、或いは洗浄装置Ｗの自重により、洗浄対象である底面Ｂに密着させることができる。また洗浄装置Ｗを摺動するにあたっても突っ張り部２０が邪魔をすることがなく、スムーズに効率よく洗浄作業をおこなうことができる。
【符号の説明】
【００２４】
１      アタッチメント
１０    取っ手部
２０    突っ張り部
２２    ポール機構
２４    スプリング（伸縮機構）
２６    接面機構
２８    車輪（滑動構造）
３０    接続部
３１    回動固定部（回動固定機構）
５０    ケーシング部
５２    洗浄水供給パイプ
５４    汚水排出パイプ
５６    高密度ブラシ（密閉部）
５８    車輪（滑動構造）
６０    噴出ノズル
Ｗ      洗浄装置
ＳＷ    側壁
Ｂ      底部
【図１】
0003217152.tif 000003
【図２】
0003217152.tif 000004
【図３】
0003217152.tif 000005